(57)【要約】      （修正有）【課題】粘着剤を装填する容器において、安全構造に配慮した蓋体の構造を提供する。【解決手段】蓋体は、内蓋１およびカバー体２を含み、カバー体に包囲部２１、縁部２２および係止部２３が設けられ、内蓋にノズル１３、操作部１２および弾性片１１１が設けられる。このうち、カバー体を内蓋に嵌め込んだ後、下に押す動作を行うと、内蓋をボトル体に堅固に定位させることができる。これにより、内蓋を容器本体に堅固に結合させることができ、本体からスムーズに離れることがないことを特徴とする。【選択図】図１
0003193211.tif 000002
【実用新案登録請求の範囲】
【請求項１】
内蓋およびカバー体で構成される蓋体の構造であって、当該内蓋は台座から操作部が延伸形成され、操作部からさらにノズルが延伸形成され、
当該操作部の内径に内ねじ山が設けられ、当該ノズルに通路および前端部が設けられ、
当該台座に複数の弾性片および段状部が周設され、当該複数の弾性片の間がスリットにより隔てられ、当該弾性片に第１凸部および第２凸部が設けられ、当該第１凸部が台座の外径に形成され、当該第２凸部が台座の内径に形成され、
当該カバー体は、筒開口部を有する環状体を包囲部が取り囲んで形成され、当該包囲部の一端から縁部が延伸形成され、当該縁部の径が次第に縮小され、縁部の最小の径が包囲部の径より小さく、包囲部の内径壁に係止部が周設され、
このうち、内蓋の内ねじ山を容器の外ねじ山に螺合させ、当該カバー体をノズルに嵌め込んで台座に深く入れ、カバー体を下に押し、内蓋の弾性片が内径方向に押し入れられると、内蓋が容器本体に締め付けられる、蓋体の構造。
【請求項２】
容器の口部を密封するための蓋体であり、容器は、内容物を収容する容器本体を有し、さらに本体から内容物を排出する容器を指す蓋体の構造であって、
蓋体が内蓋およびカバー体を含み、当該内蓋は台座から操作部が延伸形成され、操作部からさらにノズルが延伸形成され、当該台座に複数の弾性片が周設され、各弾性片の間がスリットにより隔てられ、当該弾性片に第１凸部および第２凸部が設けられ、当該第１凸部が台座の外径に形成され、当該第２凸部が台座の内径に形成され、
当該カバー体は包囲部から縁部が延伸形成された環状体であり、当該包囲部の内径に係止部が設けられ、当該カバー体を内蓋のノズルから台座まで通した後、カバー体を下に押すと、内蓋の台座を容器本体に緊密に結合させることができ、なおかつ内蓋は容器本体から容易に離脱することはないことを特徴とする、蓋体の構造。
【考案の詳細な説明】
【技術分野】
【０００１】
本考案は蓋体の構造であり、特に瞬間粘着剤、湿気硬化型接着剤、揮発性接着剤、または各種の薬液、食品、インクなど低粘度液体用の複合容器における蓋体を指す。
【背景技術】
【０００２】
一般に、粘着剤には多くの種類があり、本考案では瞬間粘着剤または低粘度の液体状接着剤を指し、これは溶剤揮散型、湿気硬化型など様々な形式を含む。溶剤揮散型接着剤に対して、プラスチック筒を使用して収容体とすることはできず、湿気硬化型接着剤については、湿気を通すプラスチック筒の収容体を使用することはできない。したがって、この種の形式の接着剤は、通常、アルミニウム筒または鉛筒などの金属筒を使用して収容体とする。
【０００３】
しかしながら、金属筒には復元力がないため、内容物の接着剤を排出した後、液体が溢れ出る現象がよく発生し、例えば、瞬間接着剤など内容物の粘度が低いとき、当該現象はより顕著である。また、金属筒には復元力がないため、押し出して使用すると、凹みが形成され、その後の使用において、押し出すのがやや難しくなるだけでなく、外観が変形すると美しくなく、上品さに欠ける。
【０００４】
この他、金属筒は立てることができず、使用中に倒置する場合、内容物の流出を防止するために、毎回蓋体がしっかり固定されているかに注意する必要がある。一般家庭に赤ん坊または子どもがいる場合、粘着剤は毒性を有し、皮膚に付着しやすく、はがれにくいため、周りの人は粘着剤の収容体が適切に収納されているか、さらに収容体の蓋体がきつく閉じられた状態であるかに気を付け、赤ん坊または子どもに予想外の出来事が起こるのを防止する必要がある。
【０００５】
家庭環境において、子どもが簡単に手に取ることができないために発生する安全上の問題を解決するため、本考案の発明者は鋭意研究により、この種の問題を解決する液体用容器の蓋体における安全構造を研究開発する。
【考案の概要】
【課題を解決するための手段】
【０００６】
本考案の蓋体の構造は、容器の口部を密封するための蓋体であり、容器は、内容物を収容する容器本体と、本体から内容物を排出する口部とを有する容器を指す。当該蓋体は容器本体を覆う内蓋、および内蓋に重ねるカバー体を含む。
【０００７】
このうち、内蓋は台座から操作部が延伸形成され、操作部からさらにノズルが延伸形成される。当該台座に複数の弾性片が周設され、各弾性片の間はスリットにより隔てられる。当該弾性片に第１凸部および第２凸部が設けられ、当該第１凸部は台座の外形に形成され、当該第２凸部は台座の内径に形成される。
【０００８】
このうち、当該カバー体は、包囲部から縁部が延伸形成された環状体であり、当該包囲部の内径に係止部が設けられる。当該カバー体を内蓋のノズルから台座まで通した後、カバー体を下に押すと、内蓋の台座を容器本体に緊密に結合させることができる。さらに内蓋は、容器本体から容易に離脱することはない。
【０００９】
これにより、内蓋の台座の径がカバー体により縮小されるが、これは内蓋の弾性片がカバー体の係止部により内側に加圧されるためである。この弾性片と弾性片との間のスリットの距離は狭くなり、弾性片の第２凸部は容器本体に圧着される。容器自体は、アルミニウム製の材質であり、容易に変形し、回復力を有さない特徴を有する。内蓋がカバー体により加圧されて、その弾性片が本体に圧着されるとき、本体が圧力を受けて凹む。このように内蓋および本体の結合、なおかつ離脱しにくい安全機能を達成し、さらに容器内の液体が溢れ出る問題が発生するのを確実に防止することができる。
【図面の簡単な説明】
【００１０】
【図１】図１は、本考案の立体分解図である。
【図２】図２は、本考案および容器の分解図である。
【図３】図３は、本考案および容器の分解断面図である。
【図４】図４は、本考案および容器の組立断面図である。
【考案を実施するための形態】
【００１１】
以下に、本考案の目的、特徴および機能をより理解するため、本考案の好ましい実施例の図を組み合わせてさらに説明を行う。これにより、当業者が本明細書の記載に基づき実施することができることを期待する。
【実施例】
【００１２】
まず、図１から図３を参照されたい。図１から図３に示すのは、本考案の蓋体の構造であり、これは内蓋１およびカバー体２で構成される。このうち、当該内蓋１は台座１１から操作部１２が延伸形成され、当該操作部１２からさらにノズル１３が延伸形成される。当該操作部１２の内径に内ねじ山１２１が設けられ、当該ノズル１３に通路１３ａおよび前端部１３１が設けられる。
【００１３】
当該台座１１に複数の弾性片１１１および段状部１１ａが周設され、当該複数の弾性片１１１の間はスリット１１２により隔てられ、当該弾性片１１１に第１凸部１１３および第２凸部１１４が設けられる。当該第１凸部１１３は台座１１の外径に形成され、当該第２凸部１１４は台座１１の内径の結合部１１１ａに形成される。
【００１４】
当該カバー体２は、筒開口部２ａを有する環状体を包囲部２１が取り囲んで形成され、当該包囲部２１の一端から縁部２２が延伸形成される。このうち、当該縁部２２の径は次第に縮小され、言い換えると、当該縁部２２の径は包囲部２１の径より小さく、相対する筒開口部２ａの径は、包囲部２１から縁部２２部分まで次第に縮小される。このほか、当該包囲部２１の内径壁に係止部２３が周設される。
【００１５】
本考案の実施、操作に関して、以下のようにさらに説明を行う。
【００１６】
まず、内蓋１の内ねじ山１２１を容器３の外ねじ山３１と螺合させ、ノズル１３をカバー体２に通す。当該カバー体２が台座１１に深く入っている状態で、ノズル１３に形成される内ねじ山１２１を続けて容器３の外ねじ山３１に緊密に螺合させると、その前端部１３１は容器３の本体３２（通常はアルミニウム筒）の口部３２ａにおける薄膜を突き破ることができ、容器３の内部３ａがノズル１３の排出通路１３ａと通じる。
【００１７】
続いて、カバー体２を再び下に押すと、内蓋１の弾性片１１１が内径の方向に押し入れられてすぼみ、内蓋１を一定の力で容器３の本体３２に締め付けることができる。この後、カバー体２の係止部２３は徐々に第１凸部１１３を内径側の方向に押し、相対する第２凸部１１４は容器３の本体３２を押してすぼむ。これはカバー体２の縁部２２が台座１１の段状部１１ａに達すると止まる。この時、容器３の本体３２の周壁は、第２凸部１１４により押されて凹み、当該カバー体２の係止部２３は、第１凸部１１３の下側に係合して定位される。図４を参照のこと。
【００１８】
上記本考案において、カバー体２の内径に設けられる係止部２３を利用し、内径端側に内蓋１の弾性片１１１を押し、これにより、内蓋１を容器３の本体３２に圧着固定する。
【００１９】
特に説明することとして、ノズル１３には他に密閉蓋をかぶせるが、当該密閉蓋は実施において開示していない。本考案で出願する特徴は構造を必要としていないため、これを省略する。
【００２０】
また、実際に使用するとき、当該内蓋１は容器３の本体３２に固定結合されて、回転することができない。これにより、子どもまたは赤ん坊が手に取るのが難しい状態で、容器３および内蓋１が離れて別々になるのを防止することができる。言い換えると、内蓋１または容器３を破壊しなければ、内蓋１を容器３の本体３２から外すことができない。これにより、内蓋１および容器３の密閉性をより向上させることができる。
【００２１】
本考案に従って、内蓋１および容器３の本体３２の結合を簡単で安全に行うことができる。
【００２２】
以上の記載は本考案の好ましい実施例に過ぎず、本考案の実施範囲を限定するものではない。本考案の実用新案登録請求の範囲に基づいて行われる同等の変化および修飾は、いずれも本考案の特許範囲に包含されるものである。
【符号の説明】
【００２３】
１  内蓋
１１  台座
１１ａ  段状部
１１１  弾性片
１１１ａ  結合部
１１２  スリット
１１３  第１凸部
１１４  第２凸部
１２  操作部
１２１  内ねじ山
１３  ノズル
１３ａ  通路
１３１  前端部
２  カバー体
２ａ  筒開口部
２１  包囲部
２２  縁部
２３  係止部
３  容器
３ａ  内部
３１  外ねじ山
３２  本体
３２ａ  口部
【図１】
0003193211.tif 000003
【図２】
0003193211.tif 000004
【図３】
0003193211.tif 000005
【図４】
0003193211.tif 000006
【手続補正書】
【提出日】平成26年7月22日(2014.7.22)
【手続補正１】
【補正対象書類名】実用新案登録請求の範囲
【補正対象項目名】請求項２
【補正方法】変更
【補正の内容】
【請求項２】
容器の口部を密封するための蓋体であり、容器は、内容物を収容する容器本体を有し、さらに本体から内容物を排出する口部を有する容器を指す、蓋体の構造であって、
当該蓋体は内蓋とカバー体からなり、当該内蓋は台座を有し、当該台座から操作部が延伸形成され、当該操作部からさらにノズルが延伸形成され、当該カバー体は包囲部から縁部が延伸形成された環状体を有し、当該包囲部の内径に係止部が設けられ、当該カバー体が内蓋のノズルから台座まで通して組み合わせ、
当該台座に複数の弾性片が周設され、各弾性片の間がスリットにより隔てられ、当該弾性片に第１凸部および第２凸部が設けられ、当該第１凸部が台座の外径に形成され、当該第２凸部が台座の内径に形成され、
当該カバー体を内蓋のノズルから台座まで通した後、カバー体を下に押すと、包囲部の係止部が台座の弾性片を押すことにより、台座が容器の口部結合し、蓋体が容器の口部に緊密に結合させることができることを特徴とする、蓋体の構造。